(57)【要約】【課題】カード検出スイッチに起因したカード収容部内のデッドスペースを極めて小にすることによりカード用コネクタの小型化を図ることができること。【解決手段】カード収容部１０Ａにメモリカード２２が挿入される場合、可動端子２０の当接端部２０Ｅが、可動接点部２０ＭＣが平坦部１０ＢＡ内において固定端子２４の固定接点部２４Ｃから離隔する方向にメモリカード２２の端部で押圧されるとき、カード検出スイッチは、オン状態からメモリカード２２の装着完了をあらわすオフ状態とされるもの。【選択図】図１
2013093233.tif 000002
【特許請求の範囲】
【請求項１】
ＩＣカードが通過するカードスロットに向き合う壁部を含むカード収容部を有し、該ＩＣカードを着脱可能に該カード収容部に収容するハウジングと、
前記ハウジングの壁部に一端が支持される固定部と、前記ＩＣカードが前記カード収容部内に挿入される場合、該ＩＣカードに当接する当接端部と前記固定部とを連結する可動部とを有する弾性変位可能な可動端子と、該ＩＣカードが前記カード収容部内に挿入されない場合、前記可動端子の可動接点部と当接する固定接点部を有する固定端子と、を含んでなるカード検出スイッチと、を備え、
前記ＩＣカードが前記カード収容部内に挿入されない場合、前記可動端子の可動部が前記壁部内の第１の位置をとり、前記ＩＣカードが前記カード収容部内に挿入される場合、前記カード検出スイッチの前記可動端子の当接端部がＩＣカードに当接され押圧されることにより、該可動端子の可動部が前記壁部内で前記第１の位置から第２の位置まで移動せしめられるとともに、前記可動端子の可動接点部が前記固定端子の前記固定接点部から離隔されることを特徴とするカード用コネクタ。
【請求項２】
前記カード検出スイッチは、前記ＩＣカードの着脱方向、および、該着脱方向に直交する方向に弾性変位可能な可動端子と、
前記ハウジングの底部に固定接点部を露出させて埋設され、該ＩＣカードが前記カード収容部内に挿入される場合、該可動接点部が該固定接点部に対し摺接しながら離隔される固定端子と、を備えて構成されることを特徴とする請求項１記載のカード用コネクタ。
【請求項３】
前記可動端子の固定部の一端が前記ハウジングの壁部に挿入され支持される場合、前記可動端子の可動部が所定値以上、前記着脱方向に直交する方向に弾性変位することを規制する位置規制部材を備えることを特徴とする請求項２記載のカード用コネクタ。
【請求項４】
前記可動端子の当接端部に設けられる可動接点部は、前記ハウジングの底部に向けて隆起する隆起部を有することを特徴とする請求項２記載のカード用コネクタ。
【請求項５】
前記可動端子の可動部が前記壁部内で移動せしめられるとき、前記隆起部が落ち込む溝部が該壁部内に形成されることを特徴とする請求項４記載のカード用コネクタ。
【発明の詳細な説明】
【技術分野】
【０００１】
本発明は、カード検出スイッチを備えるカード用コネクタに関する。
【背景技術】
【０００２】
マイクロＳＤカード（登録商標）等のＩＣカードが装着されるカード用コネクタは、例えば、特許文献１にも示されるように、携帯電話機等の電子機器内の配線基板上に配される。カード用コネクタは、カード検出スイッチを備えている。カード検出スイッチは、ＩＣカードがそのコネクタ内のカード収容部内に装着されたか否かを検出するものとされる。そのようなカード検出スイッチは、例えば、ノーマルオープンタイプの検出スイッチとされ、一対の可動接片を含んで構成されている。
【０００３】
各可動接片の一端に設けられる固定端は、そのカード収容部のカードスロットに向かい合う後側壁部の内周部に固定されている。各可動接片の一端は、ＩＣカードの着脱方向に沿って隣接し並設されている。また、弾性変位可能な各可動接片の他端部は、後側壁部よりも内側に離隔したカード収容部内に配置されている。各可動接片の他端部は、一方の可動接片の先端部が装着されたＩＣカードの端部に選択的に当接するとき、互いに当接する接点部を先端部に有している。ノーマルオープンタイプのカード検出スイッチの場合、一方の可動接片の先端部が装着されたＩＣカードの端部に選択的に当接するとき、その近接した一対の接点部における安定した電気的接続を確保するために接点部相互間に弾性変位に起因した所定の接触圧力を生じるように各可動接片の他端部が所定量、移動することが必要とされる。従って、ノーマルオープンタイプのカード検出スイッチの場合、各可動接片の他端部が所定量、移動可能とされるように後側壁部よりも内側に位置したカード収容部内の所定の移動可能領域が必要とされる。
【先行技術文献】
【特許文献】
【０００４】
【特許文献１】特開２００７−２８７４３８号公報
【発明の概要】
【発明が解決しようとする課題】
【０００５】
ノーマルオープンタイプのカード検出スイッチがカード用コネクタに備えられる場合、上述したように、各可動接片の他端部が所定量、移動可能とされるように後側壁部よりも内側に位置したカード収容部内の所定の移動可能領域が必要とされる。即ち、その移動可能領域がデッドスペースとなる。
【０００６】
しかしながら、一対の接点部における安定した電気的接続を確保する必要性からノーマルオープンタイプのカード検出スイッチの場合、上述の移動可能領域が必要とされるので昨今のＩＣカードの小型化に伴うカード用コネクタの小型化の要望に応じてそのようなデッドスペースをより小さくすることにも、限界がある。
【０００７】
以上の問題点を考慮し、本発明は、カード検出スイッチを備えるカード用コネクタであって、カード検出スイッチに起因したカード収容部内のデッドスペースを極めて小にすることによりカード用コネクタの小型化を図ることができるカード用コネクタを提供することを目的とする。
【課題を解決するための手段】
【０００８】
上述の目的を達成するために、本発明に係るカード用コネクタは、ＩＣカードが通過するカードスロットに向き合う壁部を含むカード収容部を有し、ＩＣカードを着脱可能にカード収容部に収容するハウジングと、ハウジングの壁部に一端が支持される固定部と、ＩＣカードがカード収容部内に挿入される場合、ＩＣカードの端部に当接する当接端部と固定部とを連結する可動部とを有する弾性変位可能な可動端子と、ＩＣカードがカード収容部内に挿入されない場合、可動端子の可動接点部と当接する固定接点部を有する固定端子と、を含んでなるカード検出スイッチと、を備え、ＩＣカードがカード収容部内に挿入されない場合、可動端子の可動部が壁部内の第１の位置をとり、ＩＣカードがカード収容部内に挿入される場合、カード検出スイッチの可動端子の当接端部がＩＣカードの端部に当接され押圧されることにより、可動端子の可動部が壁部内で第１の位置から第２の位置まで移動せしめられるとともに、可動端子の可動接点部が固定端子の固定接点部から離隔されることを特徴とする。
【０００９】
カード検出スイッチは、ＩＣカードの着脱方向、および、着脱方向に直交する方向に弾性変位可能な可動端子と、ハウジングの底部に固定接点部を露出させて埋設され、ＩＣカードがカード収容部内に挿入される場合、可動接点部が固定接点部に対し摺接しながら離隔される固定端子と、を備えて構成されてもよい。
【００１０】
また、可動端子の固定部の一端がハウジングの壁部に挿入され支持される場合、可動端子の可動部が所定値以上、着脱方向に直交する方向に弾性変位することを規制する位置規制部材を備えるものであってもよい。
【００１１】
さらに、可動端子の当接端部に設けられる可動接点部は、ハウジングの底部に向けて隆起する隆起部を有するものでもよい。可動端子の可動部が壁部内で移動せしめられるとき、隆起部が落ち込む溝部が壁部内に形成されるものでもよい。
【発明の効果】
【００１２】
本発明に係るカード用コネクタによれば、ＩＣカードがカード収容部内に挿入される場合、カード検出スイッチの可動端子の当接端部がＩＣカードの端部に当接され押圧されることにより、可動端子の可動部が壁部内で移動せしめられるとともに、可動端子の可動接点部が固定端子の固定接点部から離隔されるのでカード検出スイッチに起因したカード収容部内のデッドスペースを極めて小にすることによりカード用コネクタの小型化を図ることができる。
【図面の簡単な説明】
【００１３】
【図１】本発明に係るカード用コネクタの第１実施例の外観を示す斜視図である。
【図２】図１に示される例における動作説明に供される図である。
【図３】図１におけるＡ部を部分的に拡大して示す斜視図である。
【図４】図１に示される例に用いられるカード検出スイッチの一部を構成する可動端子を示す斜視図である。
【図５】本発明に係るカード用コネクタの第２実施例の外観を示す斜視図である。
【図６】図５におけるＢ部を部分的に拡大して示す斜視図である。
【図７】図５に示される例において可動端子を外した状態を示す平面図である。
【図８】（Ａ）は、図５に示される例に用いられるカード検出スイッチの一部を構成する可動端子を示す斜視図であり、（Ｂ）は、図５に示される例に用いられるカード検出スイッチの一部を構成する可動端子の他の一例を示す斜視図である。
【発明を実施するための形態】
【００１４】
図１は、本発明に係るカード用コネクタの第１実施例の外観を示す。
【００１５】
図１に示されるカード用コネクタは、例えば、そのカード収容部１０Ａに着脱可能に収容されるＩＣカードとしてのメモリカード２２の電極部と所定の電子機器の内部に配される配線基板の接続端子部とを電気的に接続するものとされる。カード用コネクタは、例えば、携帯電話機、携帯型オーディオ、ＰＤＡ、カメラ、ＰＣ等の電子機器の内部に配されるものとされる。薄板状のメモリカード２２は、例えば、マイクロシム（登録商標）カードとされ、後述されるコンタクト端子の配列に対応して６個の電極パッドが一方の表面部に形成されている。メモリカード２２は、図２に示されるように、一方の端部に面取り部２２ＣＨを有している。
【００１６】
カード用コネクタは、収容されるメモリカード２２に対する電気的接続を行う複数のコンタクト端子が配列されるベース部材１０を含んで構成されている。
【００１７】
メモリカード２２のカード収容部１０Ａは、金属製のカバー部材（不図示）の内周部とベース部材１０とによって形成される。即ち、ベース部材１０全体が、そのカバー部材の内周部により覆われることとなる。ベース部材１０は、互いに向かい合う側壁部１０ＲＷ，１０ＬＷと、側壁部１０ＲＷ、および、側壁部１０ＬＷを連結する底部１０Ｂと、後述する後壁部１０ＢＷとを含んで構成されている。
【００１８】
カード収容部１０Ａの一方の端部には、図１に示されるように、矢印の示す方向に沿って着脱されるメモリカード２２が通過する開口部１０ＣＳ（以下、カードスロット１０ＣＳともいう）が形成されている。また、カード収容部１０Ａの他方の端部には、そのカードスロット１０ＣＳに対向して後壁部１０ＢＷが形成されている。
【００１９】
ベース部材１０の底部１０Ｂの中央部には、所定の間隔で配される二つの矩形の開口部１０ａおよび１０ｂが３列、形成されている。開口部１０ａおよび１０ｂは、側壁１０ＲＷおよび１０ＬＷに対して略平行に細長く形成されている。各同一列の開口部１０ａおよび１０ｂは、共通の直線上に形成されている。同一列における各開口部１０ａおよび１０ｂは、図１に示されるように、その中間に形成される中間底壁部１０Ｐａにより仕切られている。中間底壁部１０Ｐａには、その各列に対応して凹部１０ｄが形成されている。また、隣接する列における開口部１０ａおよび１０ｂは、底部に形成される仕切壁１０Ｐｂにより仕切られている。
【００２０】
樹脂材料で成形されるベース部材１０には、コンタクト端子１２Ａｉ（ｉ＝１〜６）が上述の各開口部１０ａおよび１０ｂに対応してインサート成形により配設されている。コンタクト端子１２Ａｉは、装着されるメモリカード２２の電極パッドに当接しメモリカード２２と配線基板（不図示）とを電気的に接続するものとされる。
【００２１】
各コンタクト端子１２Ａｉは、薄板金属材料でプレス加工によって作られる。コンタクト端子１２Ａｉは、上述のメモリカード２２の１個の電極パッドに略同時に当接し電気的に接続される接点部１２ａｃ、１２ｂｃをそれぞれ有する分岐可動片部１２ａ，１２ｂと、配線基板の導電層に半田付け固定される半田付端子部を有する後端部と、分岐可動片部１２ａ，１２ｂに連なる可動片支持部と、可動片支持部と後端部とを連結する連結部とを含んで構成されている。なお、上述の後端部の一部、可動片支持部、および、連結部は、インサート成形により底部１０Ｂに鋳込まれている。
【００２２】
弾性変位可能な分岐可動片部１２ａ，１２ｂ、および、半田付端子部は、それぞれ、ベース部材１０の底部から突出している。また、各コンタクト端子１２Ａｉの半田付端子部は、図２に示されるように、カードスロット１０ＣＳ側とは逆方向となるように後壁部１０ＢＷから外部に向けて突出している。これにより、半田がベース部材１０におけるカードスロット周縁に付着することがないのでメモリカード２２の着脱において半田によって支障が生じる虞がない。
【００２３】
図１において、カード収容部１０Ａを形成する側壁部１０ＲＷの内周部と側壁部１０ＲＷに最も近いコンタクト端子１２Ａｉとの間には、メモリカード２２を選択的にカード収容部１０Ａ内に保持するとともに、メモリカード２２を、カードスロット１０ＣＳを通じて外部に排出するイジェクト機構が配されている。
【００２４】
イジェクト機構は、側壁部１０ＲＷに沿って内側部分に形成されたガイド溝に沿って案内され、ベース部材１０に対し移動自在な略Ｌ字状のイジェクト部材１４と、ベース部材１０の後壁部１０ＢＷおよびイジェクト部材１４の端部１４Ｅ相互間に介装され、イジェクト部材１４をメモリカード２２の排出方向に付勢するコイルスプリング１８と、イジェクト部材１４を選択的にベース部材１０に対しロック状態あるいはアンロック状態とするカム機構制御部（不図示）とを有している。
【００２５】
例えば、金属材料でプレス加工されたイジェクト部材１４のカード受け部１４Ｒには、図２において示されるように、挿入されたメモリカード２２の略直角な角部が係合する係合部が形成されている。このようにメモリカード２２が、メモリカード２２の一対の略直角な角部がある端部側からイジェクト部材１４のカード受け部１４Ｒの係合部を介して挿入される場合、面取り部２２ＣＨを有するメモリカード２２の一方の端部が図２に示されるように、カードスロット１０ＣＳを通じて外部に所定量、突出するのでメモリカード２２の一方の端部を容易に把持しイジェクト機構のロック状態あるいはアンロック状態とする動作を確実に行わせることができる。
【００２６】
また、カードスロット１０ＣＳに隣接した位置には、図２に示されるように、カード収容部１０Ａ内に装着されたメモリカード２２を保持する板ばね１６が設けられている。これにより、弾性変位可能な板ばね１６の先端部がメモリカード２２の面取り部２２ＣＨに当接することによって、メモリカード２２がイジェクト部材１４のカード受け部１４Ｒと板ばね１６との間でカード収容部１０Ａ内に保持されることとなる。
【００２７】
このような構成において、カード収容部１０Ａにメモリカード２２が挿入される場合、イジェクト部材１４がコイルスプリング１８の付勢力に抗して押圧されるとき、カム機構制御部がイジェクト部材１４をロック状態とする。その際、メモリカード２２は、図２に示されるように、イジェクト部材１４のカード受け部１４Ｒと板ばね１６とにより保持される。これにより、メモリカード２２が、カード収容部１０Ａ内で保持され、かつ、メモリカード２２のコンタクトパッドとコンタクト端子１２Ａｉの各接点部とが当接され電気的に接続されることとなる。
【００２８】
一方、メモリカード２２がカード収容部１０Ａから取り外される場合、装填されたメモリカード２２が若干さらに押し込まれる。これにより、イジェクト部材１４が、所定距離だけ移動せしめられ、カム機構制御部がイジェクト部材１４をアンロック状態とする。
【００２９】
従って、コイルスプリング１８の復帰力によってイジェクト部材１４がカード収容部１０Ａからメモリカード２２を伴ってカードスロット１０ＣＳ側に板ばね１６の先端部の弾性力に抗して移動せしめられるとともに、最終的にメモリカード２２が外部に向けて排出される。
【００３０】
さらに、後壁部１０ＢＷには、図１に示されるように、メモリカード２２がカード収容部１０Ａ内に装着されているか否かを検出するカード検出スイッチが設けられている。後壁部１０ＢＷは、後述するカード検出スイッチの一部を構成する可動端子２０の固定部２０Ｆを保持する端子保持部１０ＢＫを略中央部に有している。端子保持部１０ＢＫは、可動端子２０の固定部２０Ｆが圧入される細長い溝を有している。細長い溝は、可動端子２０の板厚に対応した溝幅を有している。また、その溝の一方の端部近傍には、可動端子２０の可動部２０Ｍを案内する斜面部が形成されている。さらに、斜面部の周囲には、可動端子２０の可動部２０Ｍが斜面部に対し近接または離隔可能とされるように後壁部が切り欠かれ平坦部１０ＢＡが形成されている。即ち、可動端子２０の可動部２０Ｍがカード収容部１０Ａに進入することなく所定のストロークで後壁部１０ＢＷ内において移動可能とされることとなる。
【００３１】
カード検出スイッチは、ノーマルクローズタイプのスイッチとされ、可動接点部２０ＭＣを有する可動端子２０と、固定接点部２４Ｃを有する固定端子２４とを備えて構成されている。可動端子２０は、図４に拡大されて示されるように、薄板金属材料で帯状に作られ、端子保持部１０ＢＫの溝に圧入され可動端子２０をベース部材１０に固定する固定部２０Ｆと、メモリカード２２の端部に選択的に当接する当接端部２０Ｅと、可動接点部２０ＭＣを有し固定部２０Ｆと当接端部２０Ｅとを連結する可動部２０Ｍとから構成されている。
【００３２】
固定部２０Ｆは、その幅方向の一方の縁に一対の爪部２０ｆｎを２箇所に有している。図４において、右側に位置する一対の爪部２０ｆｎ相互間には、半田付け固定端子２０ｆｓが設けられている。これにより、その半田付け固定端子２０ｆｓが配線基板に半田付け固定されることによって、可動端子２０が配線基板の回路に導通することとなる。
【００３３】
固定部２０Ｆは、その一方の縁に形成される４個の爪部２０ｆｎから上述の溝に差し込まれる。これにより、可動部２０Ｍは、その帯状に広がる面が端子保持部１０ＢＫに向き合うように配置されることとなる。
【００３４】
固定部２０Ｆに連なる可動部２０Ｍは、固定部２０Ｆに対し所定の角度をもって端子保持部１０ＢＫに近接する方向に傾斜している。可動部２０Ｍにおける固定部２０Ｆから離隔する方向の一方の端部近傍には、隆起した可動接点部２０ＭＣが形成されている。
【００３５】
当接端部２０Ｅは、可動部２０Ｍの一方の端部に対し所定の角度をもって可動接点部２０ＭＣの隆起する側（即ち、カード収容部１０Ａ側）に折れ曲がっている。
【００３６】
一方、固定端子２４の固定部は、可動端子２０の可動部２０Ｍにおける可動接点部２０ＭＣに対向するようにベース部材１０Ｂに埋設されている。これにより、その固定部に電気的に接続される半田付け固定端子が配線基板に半田付け固定されることによって、固定端子２４は、図示が省略される配線基板の回路に導通することとなる。
【００３７】
固定端子２４の固定接点部２４Ｃは、固定部に対し略垂直に屈曲されている。固定端子２４の固定接点部２４Ｃは、平坦部１０ＢＡとカード収容部１０Ａとの略境界部分に設けられている。即ち、可動接点部２０ＭＣが当接する固定端子２４の固定接点部２４の位置は、図２に示されるように、ベース部材１０Ｂの後壁部１０ＢＷの外周面から所定の距離Ｄａであって、側壁部１０ＬＷの外周面から所定の距離Ｗａに設定されている。従って、可動端子２０の第１の位置としての可動接点部２０ＭＣが当接する固定端子２４の固定接点部２４Ｃの位置が、後壁部１０ＢＷの内周面からカード収容部１０Ａ内に侵入する虞がないこととなる。なお、可動接点部２０ＭＣが当接する固定端子２４の固定接点部２４Ｃの位置は、斯かる例に限られることなく、上述の境界部分よりも平坦部１０ＢＡの内方に設けられてもよい。
【００３８】
斯かる構成において、カード収容部１０Ａにメモリカード２２が挿入される場合、図２の矢印Ｐが示す方向に、イジェクト部材１４がコイルスプリング１８の付勢力に抗して押圧されるとき、カム機構制御部がイジェクト部材１４をロック状態とするとともに、板ばね１６がメモリカード２２を保持する。その際、可動端子２０の当接端部２０Ｅが、可動接点部２０ＭＣが平坦部１０ＢＡ内において固定端子２４の固定接点部２４Ｃから離隔する方向（図２における矢印Ａ方向）にメモリカード２２の端部で押圧されるとともに、可動端子２０の可動接点部２０ＭＣが固定端子２４の固定接点部２４Ｃから離隔し平坦部１０ＢＡ内の上述の第１の位置から所定の第２の位置まで移動せしめられることにより、カード検出スイッチは、オン状態からメモリカード２２の装着完了をあらわすオフ状態とされる。この場合、図２に示されるように、可動端子２０の当接端部２０Ｅの先端部のみがカード収容部１０Ａ内に侵入しているので特許文献１に示されるノーマルオープンタイプのカード検出スイッチがカード収容部内に設けられる場合に比してメモリカード２２の端部と後壁部１０ＢＷの内周部との間に形成されるデッドスペースＤＳが極めて小となる。従って、カード用コネクタの小型化が図られることとなる。また、カード用コネクタにおいて、一般にメモリカード２２が装着される期間は、取り外される期間に比して長期となるので消費電力の低減も図られる。
【００３９】
一方、カード収容部１０Ａからメモリカード２２が排出される場合、カム機構制御部がイジェクト部材１４をアンロック状態とするとともに、コイルスプリング１８の復元力により、イジェクト部材１４が図２の矢印Ｐが示す方向とは逆方向に押圧されるとき、メモリカード２２が板ばね１６の付勢力に抗してカードスロット１０ＣＳを介して排出されるとともに、可動端子２０の可動接点部２０ＭＣが平坦部１０ＢＡ内において上述の第２の位置から固定端子２４の固定接点部２４Ｃに近接する方向（図２における矢印Ｂ方向）に復元力により回動され固定接点部２４Ｃに当接せしめられるのでカード検出スイッチは、オフ状態からメモリカード２２の非装着状態をあらわすオン状態とされる。
【００４０】
図５は、本発明に係るカード用コネクタの第２実施例の外観を示す。
【００４１】
図１に示される例においては、カード検出スイッチにおける可動端子２０の当接端部２０Ｅは、端子保持部１０ＢＫを中心として回動するものとされるが、その代わりに、図５に示される例においては、カード検出スイッチにおける可動端子４０の当接端部４０Ｅは、端子保持部１０ＢＫを中心として回動されるとともに、弾性によりベース部材３０の底部３０Ｂに対し近接または離隔可能とされる。図５において、図１に示される例における構成要素と同一の構成要素について同一の符号を付して示し、その重複説明を省略する。
【００４２】
カード用コネクタは、収容されるメモリカード２２に対する電気的接続を行う複数のコンタクト端子１２Ａｉが配列されるベース部材３０を含んで構成されている。
【００４３】
メモリカード２２のカード収容部３０Ａは、金属製のカバー部材（不図示）の内周部とベース部材３０とによって形成される。即ち、ベース部材３０全体が、そのカバー部材の内周部により覆われることとなる。ベース部材３０は、互いに向かい合う側壁部３０ＲＷ，３０ＬＷと、側壁部３０ＲＷ、および、側壁部３０ＬＷを連結する底部３０Ｂと、後述する後壁部３０ＢＷとを含んで構成されている。
【００４４】
カード収容部３０Ａの一方の端部には、着脱されるメモリカード２２が通過する開口部３０ＣＳ（以下、カードスロット３０ＣＳともいう）が形成されている。また、カード収容部３０Ａの他方の端部には、そのカードスロット３０ＣＳに対向して後壁部３０ＢＷが形成されている。
【００４５】
ベース部材３０の底部１０Ｂの中央部には、所定の間隔で配される二つの矩形の開口部３０ａおよび３０ｂが３列、形成されている。開口部３０ａおよび３０ｂは、側壁３０ＲＷおよび３０ＬＷに対して略平行に細長く形成されている。各同一列の開口部３０ａおよび３０ｂは、共通の直線上に形成されている。同一列における各開口部３０ａおよび３０ｂは、図５に示されるように、その中間に形成される中間底壁部３０Ｐａにより仕切られている。中間底壁部３０Ｐａには、その各列に対応して凹部３０ｄが形成されている。また、隣接する列における開口部３０ａおよび３０ｂは、底部に形成される仕切壁３０Ｐｂにより仕切られている。
【００４６】
樹脂で成形されるベース部材３０には、コンタクト端子１２Ａｉ（ｉ＝１〜６）が上述の各開口部３０ａおよび３０ｂに対応してインサート成形により配設されている。
【００４７】
さらに、後壁部３０ＢＷには、図５に示されるように、メモリカード２２がカード収容部３０Ａ内に装着されているか否かを検出するカード検出スイッチが設けられている。後壁部３０ＢＷは、後述するカード検出スイッチの一部を構成する可動端子４０の固定部４０Ｆを保持する端子保持部３０ＢＫを略中央部に有している。端子保持部３０ＢＫは、可動端子４０の固定部４０Ｆが圧入される細長い溝３０ａｇを有している。細長い溝３０ａｇは、可動端子４０の板厚に対応した溝幅を有している。また、端子保持部３０ＢＫにおいて細長い溝３０ａｇに対し平行に隣接して形成される溝３０ｂｇの一方の端部近傍には、可動端子４０の可動部４０Ｍを案内する斜面部が形成されている。さらに、斜面部の周囲には、図６に拡大されて示されるように、可動端子４０の可動部４０Ｍが斜面部に対し近接または離隔可能とされるように後壁部が切り欠かれ平坦部３０ＢＡが形成されている。即ち、可動端子４０の可動部４０Ｍがカード収容部３０Ａに進入することなく所定のストロークで後壁部３０ＢＷ内において移動可能とされることとなる。
【００４８】
カード検出スイッチは、ノーマルクローズタイプのスイッチとされ、可動接点４０ＭＰを有する可動端子４０と、固定接点としてのコンタクトパッドからなる固定端子３２とを備えて構成されている。可動端子４０は、図８（Ａ）に拡大されて示されるように、薄板金属材料で帯状に作られ、端子保持部３０ＢＫの溝３０ａｇに圧入され可動端子４０をベース部材３０に固定する固定部４０Ｆと、可動接点４０ＭＰを有しメモリカード２２の端部に選択的に当接する当接端部４０Ｅと、固定部４０Ｆと当接端部４０Ｅとを連結する可動部４０Ｍとから構成されている。
【００４９】
固定部４０Ｆは、その幅方向の一方の縁に一対の爪部４０ｆｎを２箇所に有している。図８（Ａ）において、右側に位置する一対の爪部４０ｆｎ相互間には、半田付け固定端子４０ｆｓが設けられている。これにより、その半田付け固定端子４０ｆｓが、図示が省略される配線基板に半田付け固定されることによって、可動端子４０は、配線基板の回路に導通することとなる。
【００５０】
固定部４０Ｆは、その一方の縁に形成される４個の爪部４０ｆｎから上述の溝３０ａｇに差し込まれる。これにより、固定部４０Ｆに可動連結部４０ＭＣを介して連結される可動部４０Ｍは、その帯状に広がる面が端子保持部３０ＢＫに向き合うように配置されることとなる。
【００５１】
固定部４０Ｆに可動連結部４０ＭＣを介して一体に連結される可動部４０Ｍは、固定部４０Ｆに対し所定の間隔をもって帯状の面が略平行に向かい合うように配置されている。これにより、可動部４０Ｍは、図８（Ａ）に示される直交座標においてＸ座標軸およびＺ座標軸に沿って移動可能とされる。なお、Ｙ座標軸は、固定部４０Ｆの延在する方向と一致するように設定されている。即ち、可動部４０Ｍは、可動連結部４０ＭＣを回転中心としてＸ座標軸に沿って回動可能とされ、また、Ｚ座標軸に沿って上下動可能とされる。
【００５２】
固定部４０Ｆが、上述の溝３０ａｇに差し込まれた場合、可動部４０Ｍの一方の端部に一体に連結される当接端部４０Ｅは、可動部４０Ｍの一方の端部に対し所定の角度をもってカード収容部３０Ａ側に折れ曲がっている。当接端部４０Ｅにおける底部３０Ｂに近接する側の縁部には、可動接点部４０ＭＣが形成されている。可動接点部４０ＭＣは、当接端部４０Ｅの帯状の面に対し略直交するようにカード収容部３０Ａから離隔する方向に折り曲げられて形成されている。可動接点部４０ＭＣは、小さな隆起部４０ｍｃを有している。隆起部４０ｍｃは、底部３０Ｂに近接する側の表面に形成され、後述する固定端子３２（図７参照）の表面に所定の圧力をもって摺接する。
【００５３】
一方、固定端子３２は、ベース部材３０の底部３０Ｂの表面と面一となるように埋設されている。また、固定端子３２は、可動端子４０の当接端部４０Ｅにおける可動接点部４０ＭＣに対向するように配置されている。これにより、その固定端子３２に電気的に接続される半田付け固定端子が、図示が省略される配線基板に半田付け固定されることによって、固定端子３２が、配線基板の回路に導通することとなる。
【００５４】
その際、固定端子３２は、図７に示されるように、平坦部３０ＢＡに近いカード収容部３０Ａ内に設けられている。即ち、可動接点部４０ＭＣの隆起部４０ｍｃが摺接する固定端子３２の位置は、ベース部材３０Ｂの後壁部３０ＢＷの外周面から所定の距離Ｄｂであって、側壁部３０ＬＷの外周面から所定の距離Ｗｂに設定されている。
【００５５】
平坦部３０ＢＡにおける固定端子３２に隣接し所定距離だけ離隔した位置には、可動接点部４０ＭＣの隆起部４０ｍｃだけが落ち込む逃げ溝３０ＢＧが形成されている。逃げ溝３０ＢＧの一端には、隆起部４０ｍｃを誘導する斜面部３０ＢＧＳが形成されている。この斜面部３０ＢＧＳにより、可動接点部４０ＭＣの隆起部４０ｍｃと固定端子３２の表面との接触が確実に断たれることとなる。
【００５６】
さらに、平坦部３０ＢＡにおける逃げ溝３０ＢＧと端子保持部３０ＢＫとの間には、可動端子４０が溝３０ａｇから抜け出ることを回避する位置規制部材としての抜止め片３４が設けられている。
【００５７】
斯かる構成において、カード収容部３０Ａにメモリカード２２が挿入される場合、イジェクト部材１４がコイルスプリング１８の付勢力に抗して押圧されるとき、カム機構制御部がイジェクト部材１４をロック状態とするとともに、板ばね１６がメモリカード２２を保持する。その際、可動端子４０の当接端部４０Ｅとともに可動接点部４０ＭＣの隆起部４０ｍｃがワイピングしながら固定端子３２から離隔する方向、即ち、平坦部３０ＢＡの方向にメモリカード２２の端部で押圧されるのでカード検出スイッチは、オン状態からメモリカード２２の装着完了をあらわすオフ状態とされる。この場合、可動端子４０の当接端部４０Ｅの先端部のみがカード収容部３０Ａ内に侵入しているので特許文献１に示されるノーマルオープンタイプのカード検出スイッチがカード収容部内に設けられる場合に比してメモリカード２２の端部と後壁部３０ＢＷの内周部との間に形成されるデッドスペースが極めて小となる。従って、カード用コネクタの小型化が図られることとなる。また、カード用コネクタにおいて、一般にメモリカード２２が装着される期間は、取り外される期間に比して長期となるので消費電力の低減も図られる。
【００５８】
一方、カード収容部３０Ａからメモリカード２２が排出される場合、カム機構制御部がイジェクト部材１４をアンロック状態とするとともに、コイルスプリング１８の復元力により、イジェクト部材１４がカード排出方向に押圧されるとき、メモリカード２２が板ばね１６の付勢力に抗してカードスロット３０ＣＳを介して排出されるとともに、可動端子４０の可動接点部４０ＭＣが固定端子３２に近接する方向に復元力により回動され固定端子３２に当接せしめられるのでカード検出スイッチは、オフ状態からメモリカード２２の非装着状態をあらわすオン状態とされる。
【００５９】
上述の可動端子４０は、折り曲げられた可動接点４０ＭＰに隆起部４０ｍｃを有する構成とされるが、斯かる例に限られることなく、可動端子５０は、例えば、図８（Ｂ）に示されるように、可動接点４０ＭＰの代わりに、当接端部５０Ｅにおけるベース部材３０の底部３０Ｂに近接する側の縁部に一体に可動接点として隆起部５０ｍｃが形成されるものでもよい。
【００６０】
可動端子５０は、薄板金属材料で帯状に作られ、端子保持部３０ＢＫの溝３０ａｇに圧入され可動端子５０をベース部材３０に固定する固定部５０Ｆと、隆起部５０ｍｃを有しメモリカード２２の端部に選択的に当接する当接端部５０Ｅと、固定部５０Ｆと当接端部５０Ｅとを連結する可動部５０Ｍとから構成されている。
【００６１】
固定部５０Ｆは、その幅方向の一方の縁に一対の爪部５０ｆｎを２箇所に有している。図８（Ｂ）において、右側に位置する一対の爪部５０ｆｎ相互間には、半田付け固定端子５０ｆｓが設けられている。これにより、その半田付け固定端子５０ｆｓが、図示が省略される配線基板に半田付け固定されることによって、可動端子５０が、配線基板の回路に導通することとなる。
【００６２】
固定部５０Ｆは、その一方の縁に形成される４個の爪部５０ｆｎから上述の溝３０ａｇに差し込まれる。これにより、固定部５０Ｆに可動連結部５０ＭＣを介して連結される可動部５０Ｍは、その帯状に広がる面が端子保持部３０ＢＫに向き合うように配置されることとなる。
【００６３】
固定部５０Ｆに可動連結部５０ＭＣを介して一体に連結される可動部５０Ｍは、固定部５０Ｆに対し所定の間隔をもって帯状の面が略平行に向かい合うように配置されている。これにより、可動部５０Ｍは、図８（Ｂ）に示される直交座標においてＸ座標軸およびＺ座標軸に沿って移動可能とされる。なお、Ｙ座標軸は、固定部５０Ｆの延在する方向と一致するように設定されている。即ち、可動部５０Ｍは、可動連結部５０ＭＣを回転中心としてＸ座標軸に沿って回動可能とされ、また、Ｚ座標軸に沿って上下動可能とされる。
【００６４】
固定部５０Ｆが、上述の溝３０ａｇに差し込まれた場合、可動部５０Ｍの一方の端部に一体に連結される当接端部５０Ｅは、可動部５０Ｍの一方の端部に対し所定の角度をもってカード収容部３０Ａ側に折れ曲がっている。当接端部５０Ｅにおける底部３０Ｂに近接する側の縁部には、可動接点部としての隆起部５０ｍｃが形成されている。隆起部５０ｍｃは、当接端部５０Ｅの帯状の面と共通の平面内に含まれるように底部３０Ｂに向けて突出している。
【００６５】
従って、可動端子５０においても、可動端子４０と同様に、隆起部５０ｍｃがワイピングしながら固定端子３２に対し摺接するので同様な作用効果を奏することとなる。
【符号の説明】
【００６６】
１０、３０    ベース部材
１０ＢＷ，３０ＢＷ    後壁部
１０ＢＫ，３０ＢＫ    端子保持部
１０ＢＡ，３０ＢＡ    平坦部
１２Ａｉ    コンタクト端子
２０、４０、５０    可動端子
２２    メモリカード
２４、３２    固定端子
【図１】
2013093233.tif 000003
【図２】
2013093233.tif 000004
【図３】
2013093233.tif 000005
【図４】
2013093233.tif 000006
【図５】
2013093233.tif 000007
【図６】
2013093233.tif 000008
【図７】
2013093233.tif 000009
【図８】
2013093233.tif 000010